(57)【要約】【課題】電源コードを簡単に整線し、電源プラグやＡＣアダプタの保持力を高めてＡＣコンセントからの抜けを防止するＡＣコンセント差込型保持具を提供する。【解決手段】少なくとも２つの電源接続器具３を差込み可能なＡＣコンセント１へのＡＣコンセント差込型保持具２は、ＡＣコンセント１の１つの差込口の少なくとも片側へ差込む差込片と、ＡＣコンセント１の他の１つの差込口に差込む電源プラグ３に接続された電源コード４を保持する保持部とを備える。【選択図】図１
2007234411.tif 000002
【特許請求の範囲】
【請求項１】
少なくとも２つの電源接続器具を差込み可能なＡＣコンセントへのＡＣコンセント差込型保持具であって、
前記ＡＣコンセントの１つの差込口の少なくとも片側へ差込む差込片と、
前記ＡＣコンセントの他の１つの差込口に差込む電源接続器具に接続された電源コードを保持する保持部と、
を備えることを特徴とするＡＣコンセント差込型保持具。
【請求項２】
少なくとも２つの電源接続器具を差込み可能なＡＣコンセントへのＡＣコンセント差込型保持具であって、
前記ＡＣコンセントの１つの差込口両側へ差込む差込片と、
前記ＡＣコンセントの他の１つの差込口に差込む電源接続器具に接続された電源コードを保持するとともに該電源コードに一体化された保持部と、
を備えることを特徴とするＡＣコンセント差込型保持具。
【請求項３】
少なくとも２つの電源接続器具を差込み可能なＡＣコンセントへのＡＣコンセント差込型保持具であって、
前記ＡＣコンセントの１つの差込口両側へ差込む差込片と、
前記ＡＣコンセントの他の１つの差込口に差込む電源接続器具に接続された電源コードを保持し、該電源コードを着脱可能な保持部と、
を備えることを特徴とするＡＣコンセント差込型保持具。
【発明の詳細な説明】
【技術分野】
【０００１】
本発明はＡＣコンセントに差込まれる電源プラグやＡＣアダプタ等の電源接続器具を保持するＡＣコンセント差込型保持具に関する。
【背景技術】
【０００２】
図１０は従来技術の問題点の説明図であり、（Ａ）はＡＣコンセントからＡＣプラグが抜け、（Ｂ）はＡＣコンセントからＡＣアダプタが抜ける様を示す図である。一般に、ＡＣコード１０４は、図１０の（Ａ）に示すように、とかく配線が煩雑になり、整線されないで床に放置されていると、足で引っ掛けたりすることによりＡＣプラグ１０３がＡＣコンセント１０１から抜けてしまうことがある。また、ＡＣコード１０４は地震時に落下物１０７が直撃するとその衝撃によりＡＣプラグ１０３がＡＣコンセント１０１から抜けてしまう恐れがある。
【０００３】
特許文献１に記載のコンセント装置は、コンセント口近傍にフックを設け、コンセントに挿入したプラグに接続された電源コードを該フックに引っ掛けるようにすることで、プラグ端子部の防塵対策およびプラグの抜け防止を図ったものである。
【０００４】
特許文献２に記載のプラグ保持具は、コンセント口近傍に穴を設け、電源コードを把持するように取り付けたバンドの基端の固定部を該穴に差込んで固定することで、プラグの抜けを防止するものである。コンセント口近傍の穴は、壁に設けてもコンセントカバーに設けてもよい。
【０００５】
【特許文献１】特開平１１−１３５１８８号公報（特許請求の範囲、図１および要約書参照）
【特許文献２】特開２００２−３３５６２０号公報（特許請求の範囲、図４および要約書参照）
【発明の開示】
【発明が解決しようとする課題】
【０００６】
しかしながら、特許文献１に記載のコンセント装置は、新たにフックを設ける必要があり、特許文献２に記載のプラグ保持具は、新たに穴を設ける必要がある。
【０００７】
一方、ＡＣ／ＤＣ変換するＡＣアダプタ１０５は、図１０の（Ｂ）に示すように、特に大型の場合、自重で抜けやすく、振動によって抜けてしまうことがある。ＡＣアダプタ１０５からＤＣコード１０６を介してコンピュータシステム（不図示）に電源が供給される場合、ＡＣアダプタ１０５がＡＣコンセント１０１から抜けるとシステム障害を発生する恐れがある。現在、壁埋め込み型のＡＣコンセント１０１にＡＣアダプタ１０５を差込む場合、ＡＣアダプタ１０５を保持する器具はない。
【０００８】
したがって、本発明は上述した問題を解決し、ＡＣコードを簡単に整線し、ＡＣプラグやＡＣアダプタ等の電源接続器具の保持力を高めてコンセントからの抜けを防止するＡＣコンセント差込型保持具を提供することを目的とする。
【課題を解決するための手段】
【０００９】
上記目的を達成する本発明の第一形態によるＡＣコンセント差込型保持具は、少なくとも２つの電源接続器具を差込み可能なＡＣコンセントへのＡＣコンセント差込型保持具であって、前記ＡＣコンセントの１つの差込口の少なくとも片側へ差込む差込片と、前記ＡＣコンセントの他の１つの差込口に差込む電源接続器具に接続された電源コードを保持する保持部と、を備えることを特徴とする。
【００１０】
上記目的を達成する本発明の他の形態によるＡＣコンセント差込型保持具は、少なくとも２つの電源接続器具を差込み可能なＡＣコンセントへのＡＣコンセント差込型保持具であって、前記ＡＣコンセントの１つの差込口両側へ差込む差込片と、前記ＡＣコンセントの他の１つの差込口に差込む電源接続器具に接続された電源コードを保持するとともに該電源コードに一体化された保持部と、を備えることを特徴とする。
【００１１】
上記目的を達成する本発明の更なる形態によるＡＣコンセント差込型保持具は、少なくとも２つの電源接続器具を差込み可能なＡＣコンセントへのＡＣコンセント差込型保持具であって、前記ＡＣコンセントの１つの差込口両側へ差込む差込片と、前記ＡＣコンセントの他の１つの差込口に差込む電源接続器具に接続された電源コードを保持し、該電源コードを着脱可能な保持部と、を備えることを特徴とする。
【発明の効果】
【００１２】
本発明によれば、余剰のＡＣコンセント差込口を有効活用し、二口以上の電源プラグ差込口を有するＡＣコンセントの一つの差込口には電源プラグを差込み、他の差込口には電源プラグに接続された電源コードを保持する保持具を差込むことにより、電源コードを整線するとともに、ＡＣコンセントから電源プラグが抜けることを防止できる。
【００１３】
それゆえ、居住環境を耐震性と美観性にすぐれたものとし、かつ工業環境においては振動が発生しても電源供給が維持され、信頼性の高い安定したシステム稼動を可能とするＡＣコンセント差込型保持具を提供できる。
【００１４】
本発明によれば、ＡＣコンセントの空いている差込口を利用するので、従来技術のように、新たな穴やフックを設ける必要がなくなる。
【発明を実施するための最良の形態】
【００１５】
以下、添付図面を参照しつつ本発明の実施形態を詳細に説明する。
図１は本発明の第１実施形態に係るＡＣコンセント差込型保持具を示す図であり、（Ａ）は２口ＡＣコンセント１と保持具２を示す図であり、（Ｂ）は２口ＡＣコンセント１の一方に電源プラグ３を差込み他方に保持具２の差込片を差込んだ様を示す図であり、（Ｃ）は電源コード４を把持した保持具２をＹ方向から見た図である。保持具２は電源接続器具である電源プラグ３を差込むＡＣコンセント差込口（２つ穴）のうち一方の穴を使用する。
【００１６】
保持具２は絶縁性の合成樹脂（但し、その材質は絶縁性であれば、合成樹脂に限るものではなく、例えばプラスチックや硬質ゴム等であっても良い。）からなり、複数の電源コードを通線して把持する構成としてもよい。複数の電源コードを通線することにより整線でき、ＡＣ用の電源コード４を足で引っ掛けてＡＣコンセント１から電源プラグ３を抜いてしまうことを防止し得る。また、電源コード４を把持することにより電源プラグ３をＡＣコンセント１から抜け難くすることができる。
【００１７】
第１実施形態の保持具は、振動が発生してもＡＣアダプタや電源コードをきちんと保持することにより、安定したシステム稼動を提供でき、かつ２つの差込口を独立して使用可能であり、異種コードを用途別に分けたい場合に利用できるという効果がある。また、第１実施形態の保持具は、各種アクセサリー品（鍵など）を保持することも可能である。一般的にＡＣコンセントは居住者が操作しやすい箇所に設置されることが多い。しかしながら、全く使用しないコンセントが中にはあり、第１実施形態の保持具はこれらのＡＣコンセントを活用することで上記効果が得られる。
【００１８】
図２は本発明の第２実施形態に係るＡＣコンセント差込型保持具を示す図であり、（Ａ）は２口ＡＣコンセント２１と保持具２２Ａを示す図であり、（Ｂ）は２口ＡＣコンセント２１の一方に電源プラグ２３を差込み他方に保持具２２Ａの差込片を差込んだ様を示す図であり、（Ｃ）は２口ＡＣコンセント２１と保持具２２Ｂを示す図であり、（Ｄ）は２口ＡＣコンセント２１の一方にＡＣアダプタ２５を差込み他方に保持具２２Ｂの差込片を差込んだ様を示す図である。保持具２２Ａおよび２２Ｂは電源接続器具である電源プラグ２３またはＡＣアダプタ２５を差込むＡＣコンセント差込口（２つ穴）のうち両方の穴を使用する。
【００１９】
保持具２２Ａおよび２２Ｂは絶縁性の合成樹脂（但し、その材質は、絶縁性であれば、合成樹脂に限るものではなく、例えばプラスチックや硬質ゴム等であっても良い。）からなり、複数の電源コード２４および／またはＤＣコード２６を通線して把持する構成としてもよい。複数の電源コード２４および／またはＤＣコード２６を通線することにより整線でき、電源コード２４および／またはＤＣコード２６を足で引っ掛けてＡＣコンセント２１から電源プラグ２３またはＡＣアダプタ２５を抜いてしまうことを防止できる。また、電源コード２４および／またはＤＣコード２６を把持することにより電源プラグ２３および／またはＡＣアダプタ２５をＡＣコンセント１から抜け難くすることができる。なお、ＡＣコンセント２１は、電源プラグ２３を差込む用途であれば壁に取付けても床に転がしてもよいが、ＡＣアダプタ２５を差込む用途であれば壁に取付けたものに限る。
第２実施形態の保持具は、第１実施形態の保持具の効果に加え、２点で支持することにより、より保持力を増大できる。
【００２０】
図３は本発明の第３実施形態に係るＡＣコンセント差込型保持具を示す図であり、（Ａ）は２口ＡＣコンセント３１と保持具３２Ａを示す図であり、（Ｂ）は保持具３２Ａの作用を示す図であり、（Ｃ）は２口ＡＣコンセント３１と保持具３２Ｂを示す図であり、（Ｄ）は保持具３２Ｂの作用を示す図である。保持具３２Ａおよび３２Ｂは電源接続器具である電源プラグを差込むＡＣコンセント差込口（２つ穴）のうち両方の穴を使用する。
【００２１】
図３の（Ａ）に示すように、保持具３２Ａの差込片の間隔ＷＡはＡＣコンセント３１の穴の間隔ＷＳより大きく形成される。したがって、図３の（Ｂ）に示すように、保持具３２ＡをＡＣコンセント３１に差込んだ状態で外側への反発力が発生し、保持具３２Ａ自身をＡＣコンセント３１から抜け難くし保持力を高めることができる。
【００２２】
図３の（Ｃ）に示すように、保持具３２Ｂの差込片の間隔ＷＢはＡＣコンセント３１の穴の間隔ＷＳより小さく形成される。したがって、図３の（Ｄ）に示すように、保持具３２ＢをＡＣコンセント３１に差込んだ状態で内側への反発力が発生し、保持具３２Ｂ自身をＡＣコンセント３１から抜け難くし保持力を高めることができる。
第３実施形態の保持具は、第２実施形態の保持具の効果に加え、反発力による保持力向上をもたらす効果がある。
【００２３】
図４は本発明の第４実施形態に係るＡＣコンセント差込型保持具を示す図である。図４に示すように、保持具４２が２口ＡＣコンセント４１に差込まれる。保持具４２は電源接続器具である電源プラグを差込むＡＣコンセント差込口（２つ穴）のうち両方の穴を使用する。保持具４２の差込片は、ＡＣコンセント４１の一方の穴への差込長と他方の穴への差込長とが異なるように、差込片の左右の長さを一方が長く他方が短く形成される。このように保持具４２を形成することでＡＣコンセント４１への穴へ保持具４２の差込みが容易になり、差込片の長い方が保持具４２のガイド機能を果たしＡＣコンセント４１へ容易に差込み可能となる。
第４実施形態の保持具は、ガイド機能を有することにより、保持具の取付作業が容易となる。
【００２４】
図５は本発明の第５実施形態に係るＡＣコンセント差込型保持具を示す図であり、（Ａ）は２口ＡＣコンセント５１の一方に電源プラグ５３を差込み他方に保持具５２の差込片を差込む直前の様を示す図であり、（Ｂ）は第１具体例の保持具５２Ａ示す図であり、（Ｃ）は第２具体例の保持具５２Ｂ示す図である。図５の（Ａ）に示すように、電源接続器具である電源プラグ５３は保持具５２と一体構成となっており、保持具５２は、電源コード５４を通線する貫通口を設けた電源コード通線部を有する。
【００２５】
図５の（Ｂ）に示す第１具体例の保持具５２Ａは、電源コード５４を通線する貫通口を保持具５２Ａ内部に形成したものであり、図５の（Ｃ）に示す第２具体例の保持具５２Ｂは、電源コード５４を通線する貫通口を保持具５２Ｂ外部の内側に付着させて形成したものである。
第５実施形態の保持具は、電源コードと一体化構造とすることにより、電源プラグの保持力が増す効果がある。
【００２６】
図６は本発明の第５実施形態に係るＡＣコンセント差込型保持具の第３具体例を示す図である。図６に示す第３具体例の保持具６２は、電源コードを着脱可能とする取付部を設け、電源コード付き電源プラグが保持具６２から分離可能な構成となっており、保持具６２には電源コードを通線する取付部を保持具６２外部の内側に付着させて形成したものであり、保持具６２は電源コードを埋め込み可能に形成されている。それゆえ、保持具６２は、例えば既設の電源コードに後付けできる構造となっている。また、図６に示すように、保持具６２の差込片の間隔ＷはＡＣコンセントの穴の間隔と略同じ長さに形成される。
【００２７】
図７は本発明の第５実施形態に係るＡＣコンセント差込型保持具を示す図であり、（Ａ）は２口ＡＣコンセント７１と第４具体例の保持具７２Ａを示す図であり、（Ｂ）は２口ＡＣコンセント７１に保持具７２Ａの差込片を差込んだ様を示す図であり、（Ｃ）は２口ＡＣコンセント７１と第５具体例の保持具７２Ｂを示す図であり、（Ｄ）は２口ＡＣコンセント７１に保持具７２Ｂの差込片を差込んだ様を示す図である。保持具７２Ａおよび７２Ｂは電源接続器具である電源プラグを差込むＡＣコンセント差込口（２つ穴）のうち両方の穴を使用する。
【００２８】
図７の（Ａ）および(Ｃ)に示すように、保持具７２Ａおよび７２Ｂの差込片の間隔ＷＡおよびＷＢはＡＣコンセント７１の穴の間隔ＷＳより大きく形成され、このように形成することにより、保持具７２Ａおよび７２Ｂに通線する電源コードを締め付けることができ、保持具７２Ａおよび７２Ｂに電源コードを確実に固定できる。
【００２９】
保持具７２Ａおよび７２Ｂは、保持具５２、５２Ａ、５２Ｂ、６２と比して電源コードの保持力が増す効果があり、保持具５２、５２Ａ、５２Ｂと比して後付け可能であるという効果がある。
【００３０】
図８は本発明の第６実施形態に係るＡＣコンセント差込型保持具を示す図であり、（Ａ）は２口ＡＣコンセント８１の一方に電源プラグ８３を差込み他方に保持具８２Ａの差込片を差込む直前の様を示す図であり、（Ｂ）は２口ＡＣコンセント８１の一方に電源プラグ８３を差込み他方に保持具８２Ｂの差込片を差込んだ様を示す図である。
【００３１】
保持具８２Ａは図１に示す第１実施形態の保持具を着色したものであり、保持具８２Ｂは図２に示す第２実施形態の保持具を着色したものである。着色することにより電源プラグ８３から電源供給する対象の重要度を視覚的に知らせることができる。例えば、危険を赤色で表示し、警告を黄色で表示する。これにより操作者が一目で重要電源用であるということが認識でき、誤って電源プラグ８３を引き抜くなどの誤操作を防止できる。
【００３２】
図９は本発明の第７実施形態に係るＡＣコンセント差込型保持具を示す図である。図９に示す保持具９２は、絵または人気キャラクターグッズ９３を保持具９２の胴体に貼り付けるかまたは人気キャラクターグッズ９３と保持具９２とを一体構造に形成したものである。保持具９２に絵またはマスコット形状の人気キャラクターグッズ９３等の装飾品を設けることにより、居住者が利用していない箇所にＡＣコンセントがあった場合、居住空間を美観性に優れたものにできる。また、とかく煩雑になりやすいＡＣコンセント周辺をなごやかな景観にすることができる。
【００３３】
（付記１）
少なくとも２つの電源接続器具を差込み可能なＡＣコンセントへのＡＣコンセント差込型保持具であって、
前記ＡＣコンセントの１つの差込口の少なくとも片側へ差込む差込片と、
前記ＡＣコンセントの他の１つの差込口に差込む電源接続器具に接続された電源コードを保持する保持部と、
を備えることを特徴とするＡＣコンセント差込型保持具。（１）
【００３４】
（付記２）
前記差込片の幅寸法をＡＣコンセント差込口の幅寸法に対して差異を設けた、
付記１に記載のＡＣコンセント差込型保持具。
【００３５】
（付記３）
差込片の左右の長さに差異を設けた、
付記１または２に記載のＡＣコンセント差込型保持具。
【００３６】
（付記４）
少なくとも２つの電源接続器具を差込み可能なＡＣコンセントへのＡＣコンセント差込型保持具であって、
前記ＡＣコンセントの１つの差込口両側へ差込む差込片と、
前記ＡＣコンセントの他の１つの差込口に差込む電源接続器具に接続された電源コードを保持するとともに該電源コードに一体化された保持部と、
を備えることを特徴とするＡＣコンセント差込型保持具。（２）
【００３７】
（付記５）
少なくとも２つの電源接続器具を差込み可能なＡＣコンセントへのＡＣコンセント差込型保持具であって、
前記ＡＣコンセントの１つの差込口両側へ差込む差込片と、
前記ＡＣコンセントの他の１つの差込口に差込む電源接続器具に接続された電源コードを保持し、該電源コードを着脱可能な保持部と、
を備えることを特徴とするＡＣコンセント差込型保持具。（３）
【００３８】
（付記６）
前記保持部が、前記差込片の幅寸法をＡＣコンセント差込口の幅寸法に対して差異を設けた、
付記５に記載のＡＣコンセント差込型保持具。
【図面の簡単な説明】
【００３９】
【図１】本発明の第１実施形態に係るＡＣコンセント差込型保持具を示す図であり、（Ａ）は２口ＡＣコンセントと保持具を示す図であり、（Ｂ）は２口ＡＣコンセントの一方に電源プラグを差込み他方に保持具の差込片を差込んだ様を示す図であり、（Ｃ）は電源コードを把持した保持具をＹ方向から見た図である。
【図２】本発明の第２実施形態に係るＡＣコンセント差込型保持具を示す図であり、（Ａ）は２口ＡＣコンセントと保持具を示す図であり、（Ｂ）は２口ＡＣコンセントの一方に電源プラグを差込み他方に保持具の差込片を差込んだ様を示す図であり、（Ｃ）は２口ＡＣコンセントと保持具を示す図であり、（Ｄ）は２口ＡＣコンセントの一方にＡＣアダプタを差込み他方に保持具の差込片を差込んだ様を示す図である。
【図３】本発明の第３実施形態に係るＡＣコンセント差込型保持具を示す図であり、（Ａ）は２口ＡＣコンセントと保持具を示す図であり、（Ｂ）は保持具の作用を示す図であり、（Ｃ）は２口ＡＣコンセントと保持具を示す図であり、（Ｄ）は保持具の作用を示す図である。
【図４】本発明の第４実施形態に係るＡＣコンセント差込型保持具を示す図である。
【図５】本発明の第５実施形態に係るＡＣコンセント差込型保持具を示す図であり、（Ａ）は２口ＡＣコンセントの一方に電源プラグを差込み他方に保持具の差込片を差込んだ様を示す図であり、（Ｂ）は第１具体例の保持具示す図であり、（Ｃ）は第２具体例の保持具示す図である。
【図６】本発明の第５実施形態に係るＡＣコンセント差込型保持具の第３具体例を示す図である。
【図７】本発明の第５実施形態に係るＡＣコンセント差込型保持具を示す図であり、（Ａ）は２口ＡＣコンセント７１と第４具体例の保持具７２Ａを示す図であり、（Ｂ）は２口ＡＣコンセント７１に保持具７２Ａの差込片を差込んだ様を示す図であり、（Ｃ）は２口ＡＣコンセント７１と第５具体例の保持具７２Ｂを示す図であり、（Ｄ）は２口ＡＣコンセント７１に保持具７２Ｂの差込片を差込んだ様を示す図である。
【図８】本発明の第６実施形態に係るＡＣコンセント差込型保持具を示す図であり、（Ａ）は２口ＡＣコンセントの一方に電源プラグを差込み他方に保持具を差込む直前の様を示す図であり、（Ｂ）は２口ＡＣコンセントの一方に電源プラグを差込み他方に保持具を差込んだ様を示す図である。
【図９】本発明の第７実施形態に係るＡＣコンセント差込型保持具を示す図である。
【図１０】従来技術の問題点の説明図であり、（Ａ）はＡＣコンセントからＡＣプラグが抜け、（Ｂ）はＡＣコンセントからＡＣアダプタが抜ける様を示す図である。
【符号の説明】
【００４０】
１、２１、３１、４１、５１、７１、１０１    ＡＣコンセント
２、２２Ａ、２２Ｂ、３２Ａ、３２Ｂ、４２、５２、５２Ａ、５２Ｂ、６２、７２Ａ、７２Ｂ、８２Ａ、８２Ｂ、９２、１０２    保持具
３、２３、５３、８３、１０３    電源プラグ（ＡＣプラグ）
４、２４、５４、８４、１０４    電源コード（ＡＣコード）
２５、１０５    ＡＣアダプタ
２６、１０６    ＤＣコード
【図１】
2007234411.tif 000003
【図２】
2007234411.tif 000004
【図３】
2007234411.tif 000005
【図４】
2007234411.tif 000006
【図５】
2007234411.tif 000007
【図６】
2007234411.tif 000008
【図７】
2007234411.tif 000009
【図８】
2007234411.tif 000010
【図９】
2007234411.tif 000011
【図１０】
2007234411.tif 000012